(57)【要約】【課題】  肩関節を保持する角度や高さの調整が容易に行えるとともに、装着および取り外した後の再装着も容易に行うこのとできる肩関節安静保持用補装具を提供する。【解決手段】  肘を曲げた状態の前腕部を下方から包むように保持する前腕保持部２と、この前腕保持部２の肘側から健側の肩に走行させて前記前腕保持部２の手先側に連結される肩ベルト３と、前記前腕保持部２の肘側から手先側に沿って身体との間に挟持されるとともに前記前腕保持部２に着脱自在に取り付けられる腰部枕４と、この腰部枕４の肘側端部４３から腰部の外周を走行させて前記腰部枕４の手先側端部４４に連結される腰ベルト５とを有しており、前記腰部枕４の肘側端部４３と前記腰ベルト５との肘側連結部および前記腰部枕４の手先側端部４４と前記腰ベルト５との手先側連結部の少なくとも一方に、前記腰部枕４を任意の高さおよび／または任意の角度で保持可能な腰部枕調整手段６を備えている。【選択図】  図１
0003197071.tif 000002
【実用新案登録請求の範囲】
【請求項１】
肘を曲げた状態の前腕部を下方から包むように保持する前腕保持部と、
この前腕保持部の肘側から健側の肩に走行させて前記前腕保持部の手先側に連結される肩ベルトと、
前記前腕保持部の肘側から手先側に沿って身体との間に挟持されるとともに前記前腕保持部に着脱自在に取り付けられる腰部枕と、
この腰部枕の肘側端部から腰部の外周を走行させて前記腰部枕の手先側端部に連結される腰ベルトとを有しており、
前記腰部枕の肘側端部と前記腰ベルトとの肘側連結部および前記腰部枕の手先側端部と前記腰ベルトとの手先側連結部の少なくとも一方に、前記腰部枕を任意の高さおよび／または任意の角度で保持可能な腰部枕調整手段を備えている、肩関節安静保持用補装具。
【請求項２】
肘を曲げた状態の前腕部を下方から包むように保持する前腕保持部と、
この前腕保持部の肘側から健側の肩に走行させて前記前腕保持部の手先側に連結される肩ベルトと、
前記前腕保持部の肘側から手先側に沿って身体との間に挟持されるとともに前記前腕保持部に着脱自在に取り付けられる腰部枕と、
この腰部枕の肘側端部から腰部の外周を走行させて前記腰部枕の手先側端部に連結される腰ベルトとを有しており、
前記前腕保持部が、略長方形状に形成された布状部材を二つ折りにして肘側の短辺を縫合されており、かつ手先側には開放した状態で保持する略Ｕ字状のパットが設けられている、肩関節安静保持用補装具。
【請求項３】
肘を曲げた状態の前腕部を下方から包むように保持する前腕保持部と、
この前腕保持部の肘側から健側の肩に走行させて前記前腕保持部の手先側に連結される肩ベルトと、
前記前腕保持部の肘側から手先側に沿って身体との間に挟持されるとともに前記前腕保持部に着脱自在に取り付けられる腰部枕と、
この腰部枕の肘側端部から腰部の外周を走行させて前記腰部枕の手先側端部に連結される腰ベルトとを有しており、
前記腰部枕の肘側端部と前記腰ベルトとの肘側連結部および前記腰部枕の手先側端部と前記腰ベルトとの手先側連結部の少なくとも一方に、前記腰部枕を任意の高さおよび／または任意の角度で保持可能な腰部枕調整手段を備えているとともに、
前記前腕保持部が、略長方形状に形成された布状部材を二つ折りにして肘側の短辺を縫合されており、かつ手先側には開放した状態で保持する略Ｕ字状のパットが設けられている、肩関節安静保持用補装具。
【考案の詳細な説明】
【技術分野】
【０００１】
本考案は、肩関節を安静保持することのできる肩関節安静保持用補装具に関するものである。
【背景技術】
【０００２】
けがや病気によって肩廻りの手術を行った後は、早期回復や後遺症防止のため、肩関節を安静に保つ必要がある。しかし、従来用いられている三角巾では、肩関節が固定されておらず、簡単に動いてしまうため安静にすることができないという問題がある。そこで、これまでに、肩関節を安静に保つことにできる補装具に関する考案が提案されている。
【０００３】
例えば、特許第４５６６５８２号公報には、体幹の周囲に相応する部分を有するパッドと、このパッドを体幹の周囲に固定するための胴ベルトと、パッドに患側の前腕を固定するための前腕固定部と、患側の肩関節に圧迫力を与えるための肩ベルトとを備え、前記胴ベルトと前記パッドとの接続部分の一部又は全部が着脱可能に形成され、体幹の軸線に対しパッドのなす角度を変更可能とした肩関節固定装具が提案されている（特許文献１）。この特許文献１によれば、肩関節障害時に、肩関節が解剖学的に正常な位置に整復された後に、その正常な位置関係が保持される肢位に肩関節を簡易に固定し、さらにその固定肢位を長期に保持するとことができるとされている。
【先行技術文献】
【特許文献】
【０００４】
【特許文献１】特許第４５６６５８２号公報
【考案の概要】
【考案が解決しようとする課題】
【０００５】
しかしながら、特許文献１に記載された考案においては、腰ベルト外側面に沿ってパットを貼り付けなければならない構造となっているため、肘を曲げた状態において前腕部を捻る方向の角度の変更は行えないという問題がある。そのため、千差万別である体型にパットをフィットさせるのは困難であり、前記パットがずれたりよれたりするという問題がある。
【０００６】
また、前腕固定部に前腕部を装着したり再装着したりする際に、前腕固定部の上部や手先側が閉じた状態となって、前腕部の挿入に苦労するという問題もある。特に、当該発明が使用される手術後やけがが完治していない状態においては、腕や肩を自由に動かすことができず、健常な状態では容易な作業も非常に困難である。
【０００７】
本考案は、このような問題点を解決するためになされたものであって、肩関節を保持する角度や高さの調整が容易に行えるとともに、装着および取り外した後の再装着も容易に行うことのできる肩関節安静保持用補装具を提供することを目的としている。
【課題を解決するための手段】
【０００８】
本考案に係る肩関節安静保持用補装具は、肘を曲げた状態の前腕部を下方から包むように保持する前腕保持部と、この前腕保持部の肘側から健側の肩に走行させて前記前腕保持部の手先側に連結される肩ベルトと、前記前腕保持部の肘側から手先側に沿って身体との間に挟持されるとともに前記前腕保持部に着脱自在に取り付けられる腰部枕と、この腰部枕の肘側端部から腰部の外周を走行させて前記腰部枕の手先側端部に連結される腰ベルトとを有しており、前記腰部枕の肘側端部と前記腰ベルトとの肘側連結部および前記腰部枕の手先側端部と前記腰ベルトとの手先側連結部の少なくとも一方に、前記腰部枕を任意の高さおよび／または任意の角度で保持可能な腰部枕調整手段を備えている。
【０００９】
また、本考案に係る肩関節安静保持用補装具は、肘を曲げた状態の前腕部を下方から包むように保持する前腕保持部と、この前腕保持部の肘側から健側の肩に走行させて前記前腕保持部の手先側に連結される肩ベルトと、前記前腕保持部の肘側から手先側に沿って身体との間に挟持されるとともに前記前腕保持部に着脱自在に取り付けられる腰部枕と、この腰部枕の肘側端部から腰部の外周を走行させて前記腰部枕の手先側端部に連結される腰ベルトとを有しており、前記前腕保持部が、略長方形状に形成された布状部材を二つ折りにして肘側の短辺を縫合されており、かつ手先側には開放した状態で保持する略Ｕ字状のパットが設けられている。
【考案の効果】
【００１０】
本考案によれば、肩関節を保持する角度や高さの調整が容易に行えるとともに、装着および取り外した後の再装着も容易に行うことができる。
【図面の簡単な説明】
【００１１】
【図１】本考案に係る肩関節安静保持用補装具の一実施形態を示す斜視図である。
【図２】本実施形態における前腕保持部の保持部本体を形成する布状部材を示す図である。
【図３】本実施形態における前腕保持部の保持部本体を示す斜視図である。
【図４】本実施形態における前腕保持部を前腕部に装着している状態を示す使用状態図である。
【図５】本実施形態における前腕保持部を前腕部に装着した状態を示す使用状態図である。
【図６】本実施形態における腰部枕を前腕保持部と身体との間に装着している状態を示す使用状態図である。
【図７】本実施形態における腰ベルトを装着している状態を示す使用状態図である。
【図８】本実施形態における腰部枕調整手段によって腰部枕の高さや角度を調整している状態を示す使用状態図である。
【図９】本実施形態の肩関節安静保持用補装具において腰部枕を使用しない状態で装着した状態を示す使用状態図。
【考案を実施するための形態】
【００１２】
以下、本考案に係る肩関節安静保持用補装具の一実施形態について図面を用いて説明する。
【００１３】
本実施形態の肩関節安静保持用補装具１は、図１に示すように、主に、肘を曲げた状態の前腕部を下方から包むように保持する前腕保持部２と、この前腕保持部２の肘側から健側の肩に走行させて前記前腕保持部２の手先側に連結される肩ベルト３と、前記前腕保持部２の肘側から手先側に沿って身体との間に挟持されるとともに前記前腕保持部２に着脱自在に取り付けられる腰部枕４と、この腰部枕４の肘側から腰部の外周を走行させて前記腰部枕４の手先側に連結される腰ベルト５とを有する。
【００１４】
前腕保持部２は、肩関節の安静が必要な前腕部を保持するものであり、本実施形態では、保持部本体２１と、挿入した前腕部をずれないように保持するための前腕保持用ストラップ２２と、挿入した前腕の手のひらを保持する手保持用ストラップ２３とを有している。
【００１５】
保持部本体２１は、図２および図３に示すように、前記前腕部の長さに相当する長辺を有する略長方形状に形成された布状部材から構成されており、この布状部材の一方の短辺を肘が載せられる大きさの湾曲凹状に形成されている。そして、保持部本体２１は、図３に示すように、前記布状部材を二つ折りにし、湾曲凹状部分の両側にある一対の短辺を縫合することによって肘部分に開口部２４が形成されている。よって、保持部本体２１の上部および手先側は開放されており、肘を曲げた状態の前腕部を下方から包むように保持できるようになっている。本実施形態では、この保持部本体２１の素材として通気性のよい化学合成繊維等によって形成されたメッシュ生地が用いられているとともに、肘部分に開口部２４が設けられているため、装着される前腕部のムレ等を防止して清潔が保てるようになっている。
【００１６】
また、前記保持部本体２１の手先側には、図３に示すように、前腕部の出し入れをし易くするために、前腕保持部２の手先側および上部を開放した状態で保持する開放用パット２５が設けられている。この開放用パット２５は、略Ｕ字状に形成された板材からなり、前記保持部本体２１の手先側に布生地を当てた状態で縫い込まれている。前記開放用パット２５は、任意に変形させた形状を保持できる素材から構成されることが好ましく、例えば銅合金や真鍮等の素材が使用されている。
【００１７】
また、前記保持部本体２１の外周面には、図１および図３に示すように、上縁部および手先側縁部に沿って面ファスナー２６のループまたはフックのいずれかが設けられており、肩ベルト３や腰部枕４、前腕保持用ストラップ２２や手保持用ストラップ２３等が着脱自在に固定できるようになっている。また、前記保持部本体２１の肘部には、肩ベルト３の端部を掛止させるためのリング２７が設けられている。
【００１８】
前腕保持用ストラップ２２は、開放された保持部本体２１の上部を閉じて前腕部が抜け出さないように保持しておくための部材である。本実施形態における前腕保持用ストラップ２２は、図１に示すように、略短冊状に形成された布状部材で構成されており、各端部には前記保持部本体２１の外周面に設けられた面ファスナー２６に着脱自在に固定するための面ファスナー２８のループまたはフックのいずれかが設けられている。
【００１９】
手保持用ストラップ２３は、開放された保持部本体２１の先端側から前腕部が飛び出さないように指の間などに引っ掛けて保持するための部材である。本実施形態における手保持用ストラップ２３は、紐状に形成され、各端部には前記保持部本体２１の外周面に設けられた面ファスナー２６に着脱自在に固定するための面ファスナー２９のループまたはフックのいずれかが設けられている。
【００２０】
なお、前腕保持用ストラップ２２および手保持用ストラップ２３を保持部本体２１に固定する構成は面ファスナー２６，２８，２９によるものに限定されるものではなく、スナップボタン等の点ファスナーや線ファスナー等から適宜選択してもよい。
【００２１】
肩ベルト３は、前腕保持部２を肩に掛けるためのものであり、図１および図５に示すように、前記前腕保持部２の肘側から、前記前腕保持部２に保持させる前腕部側の肩とは逆の健側の肩に走行させて、前記前腕保持部２の手先側に連結される紐状の部材である。肩ベルト３の手先側の端部近傍には、いわゆる差し込みバックル３１が設けられており、ワンタッチで手先側が着脱できるようになっている。
【００２２】
また、肩ベルト３の肘側の端部および手先側の端部には、面ファスナー３２のループまたはフックのいずれかが設けられている。肘側の端部の面ファスナー３２は、前記前腕保持部２の肘側に設けられたリング２７に挿通されて環状に掛止される。また、手先側の端部の面ファスナー３３は、前記前腕保持部２の外周面に設けられた面ファスナー２６に固定される。
【００２３】
腰部枕４は、前腕保持部２の肘側から手先側に沿って身体との間に挟持されることで、肩関節を安静に保持するためのものである。腰部枕４は、前腕保持部２の肘側から手先側の長さを有する略直方体状に形成された発砲スチロール等の軽量部材によって形成されており、身体側である内側面４１は、身体、特に腰回りに沿うように略凹状に湾曲されている。腰部枕４の内側面４１と外側面４２との間の厚みは、前腕部が１本または２本程度重ねた程度の厚みを有しており、肩関節への負担とならないように脇が少し開いた状態で固定できるようになっている。本実施形態における腰部枕４は、前腕保持部２と略同色の布によって覆われており、前腕保持部２と視覚的な一体感を有するようになっている。
【００２４】
また、腰部枕４の外側面４２には、肘側から手先側に沿って面ファスナー４５のループまたはフックのいずれかが設けられており、前腕保持部２の外周面に設けられた面ファスナー２６に着脱自在に固定できるようになっている。
【００２５】
なお、腰部枕４の形状は、略直方体状のものに限定されるものではなく、例えば、円柱状や略三角柱状等、肩関節を安静に保持可能な形状から適宜選択してもよい。
【００２６】
腰ベルト５は、腰部枕４を腰部周辺に密着するように固定するための紐状の部材であり、腰部枕４の肘側から腰部の外周を走行させて前記腰部枕４の手先側に連結される長さを有している。つまり、腰ベルト５は、腰部枕４の側面ではなく、両端部で連結されるようになっており、肘を曲げた際の肘の曲げ方向の角度のみならず、肘を曲げた状態において前腕部を捻る方向の角度の変更も行える。
【００２７】
また、腰ベルト５は、手先側の端部近傍に差し込みバックル５１が設けられており、ワンタッチで手先側が着脱できるようになっている。
【００２８】
さらに、前記腰部枕４の肘側端部４３と前記腰ベルト５との肘側連結部分および前記腰部枕４の手先側端部４４と前記腰ベルト５との手先側連結部分の少なくとも一方には、腰部枕調整手段６が設けられている。本実施形態における腰部枕調整手段６は、肘側端部４３および手先側端部４４のいずれにも設けられている。
【００２９】
腰部枕調整手段６は、前記腰部枕４を任意の高さや任意の角度で保持するためのものである。本実施形態における腰部枕調整手段６は、腰部枕４の肘側端部４３および手先側端部４４に設けられた枕側面ファスナー６１，６１と、腰ベルト５の両端部に設けられたベルト側面ファスナー６２，６２とを有する。
【００３０】
枕側面ファスナー６１は、面ファスナーのループまたはフックのいずれかであって、本実施形態では、前記腰部枕４の肘側端部４３および手先側端部４４の略全面に設けられている。
【００３１】
ベルト側面ファスナー６２は、面ファスナーのループまたはフックのいずれかであって、前記腰ベルト５の両端に設けられている。本実施形態におけるベルト側面ファスナー６２は、前記枕側面ファスナー６１と同程度の大きさを有しており、前記腰部枕４を任意の高さや任意の角度に調整を行って、枕側面ファスナー６２に対してしっかりと固定できるようになっている。
【００３２】
なお、腰部枕調整手段６は、面ファスナーによるものに限定されるものではなく、肘を曲げた際の肘の曲げ方向の角度のみならず、肘を曲げた状態において前腕部を捻る方向の角度の変更を行えるスナップボタン等の点ファスナーや線ファスナー等から適宜選択してもよい。
【００３３】
次に、本実施形態の肩関節安静保持用補装具１における各構成の作用について、前腕部に肩関節安静保持用補装具１を装着する過程とともに説明する。
【００３４】
まず、図４に示すように、前腕保持部２を前腕に装着する。肩ベルト３は、前記前腕保持部２に取り付けられた状態とし、差し込みバックル３１を外して手先側を切り離す。また、前腕保持用ストラップ２２と手保持用ストラップ２３とを保持部本体２１から外し、保持部本体２１の上部および手先側を開放した状態にする。このとき開放用パット２５は、保持部本体２１の上部および手先側が開放された状態に維持されているため、装着者は前腕部を保持部本体２１内に容易に挿入することができる。
【００３５】
前記前腕部の肘を保持部本体２１の肘側の開口部２４に合わせて入れ、前腕保持用ストラップ２２を保持部本体２１の面ファスナー２６に留める。また、手保持用ストラップ２３は、親指と人差し指の間に挟まれるようにして保持部本体２１の面ファスナー２６に留める。これにより前腕保持部２は、前腕部を下方から包み込むように保持する。
【００３６】
肩ベルト３は、図５に示すように、健側の肩に走行させて差し込みバックル３１で留める。肩ベルト３は、肩関節に負担の少ない角度に肘を曲げた状態となるように、リング２７に掛止させる環状の大きさを調整したり、差し込みバックル３１との連結部分の長さを調整したりする。
【００３７】
つぎに、腰部枕４を装着する。腰ベルト５は、腰部枕調整手段６を介して腰部枕４の肘側端部４３および手先側端部４４にそれぞれ取り付けた状態とし、差し込みバックル５１は外しておく。腰部枕４の略凹状に形成された内側面４１を身体側に向け、図６に示すように、前記前腕保持部２との間に挟持させる。また、腰部枕４の外側面４２に設けた面ファスナー４５と、前腕保持部２の外周面に設けられた面ファスナー２６とを貼り合わせ、前記腰部枕４と前記前腕保持部２とを固定する。これにより、前記腰部枕４と前記前腕保持部２がずれたりすることがなくなる。
【００３８】
腰ベルト５は、図７に示すように、腰部の外周を走行させ、外しておいた差し込みバックル５１を留めることで腰回りに固定する。本実施形態における腰ベルト５は、差し込みバックル５１との連結部分の長さを調整することで、前記腰部枕４を内側面４１が身体にフィットするよう固定する。
【００３９】
最後に、図８に示すように、腰部枕調整手段６によって、前記腰部枕４の高さや角度の微調整を行う。具体的には、枕側面ファスナー６１からベルト側面ファスナー６２を外し、前記腰部枕４を任意の高さや任意の角度に調整しながら、再度、前記ベルト側面ファスナー６２を前記枕側面ファスナー６１に固定させる。本実施形態では、腰部枕調整手段６が前記腰部枕４の両端部４３，４４において枕側面ファスナー６１，６１およびベルト側面ファスナー６２，６２によって固定されているため、肘側端部４３と手先側端部４４との取り付け高さを変えることで、前記腰部枕の高さを調整することができる。また、腰部枕４と腰ベルト５とは両端部４３，４４で容易に着脱可能に連結されているため、腰部枕４の位置や角度を適切に調整することができ、肘を曲げた際の肘の曲げ方向の角度や、肘を曲げた状態において前腕部を捻る方向の角度の調整も行うことができる。
【００４０】
以上のような本実施形態の肩関節安静保持用補装具１によれば、以下の効果を得ることができる。
１．腰部枕調整手段６によって、腰部枕４の高さや角度を自由に調整することができるため、身体にフィットした状態に保持して前記腰部枕４が所定の位置からずれたりよれたりしない。
２．前腕部を前腕保持部２に挿入する際に、開放用パット２５が前記前腕保持部２の上部および手先側を開放した状態に維持しているため、装着や取り外した後の再装着を容易に行うことができる。
【００４１】
なお、本考案に係る肩関節安静保持用補装具１は、前述した実施形態に限定されるものではなく、適宜変更することができる。
【００４２】
例えば、肩ベルト３や腰ベルト５に、移動カン等を設けて、適宜長さを調整できるようにしてもよい。
【００４３】
また、肩関節安静保持用補装具１は、図９に示すように、腰部枕４をしない状態で装着することで、従来の三角巾のように前腕部を吊り下げるために使用することもできる。
【符号の説明】
【００４４】
１  肩関節安静保持用補装具
２  前腕保持部
３  肩ベルト
４  腰部枕
５  腰ベルト
６  腰部枕調整手段
２１  保持部本体
２２  前腕保持用ストラップ
２３  手保持用ストラップ
２４  開口部
２５  開放用パット
２６  面ファスナー
２７  リング
２８  面ファスナー
２９  面ファスナー
３１  差し込みバックル
３２  面ファスナー
３３  面ファスナー
４１  内側面
４２  外側面
４３  肘側端部
４４  手先側端部
４５  面ファスナー
５１  差し込みバックル
６１  枕側面ファスナー
６２  ベルト側面ファスナー
【図１】
0003197071.tif 000003
【図２】
0003197071.tif 000004
【図３】
0003197071.tif 000005
【図４】
0003197071.tif 000006
【図５】
0003197071.tif 000007
【図６】
0003197071.tif 000008
【図７】
0003197071.tif 000009
【図８】
0003197071.tif 000010
【図９】
0003197071.tif 000011